(57)【要約】      （修正有）【課題】ハイヒール婦人靴のヒールの後面上部に装飾品を装着するために用い、装飾品が斜め下方を向くことがなく、後方から視た時に正面を向いた状態で装着可能とした取付具を提供する。【解決手段】ハイヒール婦人靴のヒール３の後面上部に装飾品を装着するためのハイヒール婦人靴の装飾品の取付具であって、一方の側面に、ヒール３の後面上部の傾斜に適合した傾斜面を形成し、他方の側面に、装飾品を取り付ける垂直面を形成し、垂直面に装飾品を取り付けた状態で、傾斜面をヒール３の後面上部に沿うようにして装着することを特徴とする。【選択図】図５
0003160077.tif 000002
【実用新案登録請求の範囲】
【請求項１】
ハイヒール婦人靴のヒール３の後面上部に装飾品を装着するためのハイヒール婦人靴の装飾品の取付具であって、
一方の側面に、ヒール３の後面上部の傾斜に適合した傾斜面１１を形成し、他方の側面に、装飾品を取り付ける垂直面１２を形成し、
垂直面１２に装飾品を取り付けた状態で、傾斜面１１をヒール３の後面上部に沿うようにして装着することを特徴としたハイヒール婦人靴の装飾品の取付具。
【請求項２】
請求項１に記載の取付具１０を用い、ヒール３の後面上部に装飾品をほぼ垂直の状態で装着したハイヒール婦人靴。
【請求項３】
傾斜面１１の上端が、甲皮１の底部最後端部１ａより上になるように取付具１０を装着した請求項２に記載のハイヒール婦人靴。
【請求項４】
装飾品としてコサージュを装着した請求項２又は３に記載のハイヒール婦人靴。
【請求項５】
ヒール３の後面上部に雌ホック５を埋設し、傾斜面１１に雌ホック５と一対の雄ホック１５を形成し、取付具１０を着脱自在且つ取替自在とした請求項２、３又は４に記載のハイヒール婦人靴。
【請求項６】
ボタン１６に雄ホック１５を形成し、取付具１０に代わってボタン１６を装着可能とした請求項５に記載のハイヒール婦人靴。
【考案の詳細な説明】
【技術分野】
【０００１】
この考案は、ハイヒール婦人靴のヒールの後面上部に、コサージュを始めとする各種の装飾品を装着するための取付具、及びこの取付具を用いてヒールの後面上部に装飾品を装着したハイヒール婦人靴に関するものである。
【背景技術】
【０００２】
高いヒールを備えたミュール、パンプス、ブーツ等のハイヒール婦人靴は、ファッション性が高いものである。カジュアルからフォーマルの用途に応じて甲皮の素材やデザインが決定され、豪華なものには様々な装飾が施される。この装飾は、コサージュ、リボン、ブローチ等の装飾品を甲皮に装着する他、ヒールから甲皮に至るまで全体に装飾を施した極めて豪華なものもあり、華やかなパーティ等の用途に着用される。
【０００３】
一方、従来のハイヒール婦人靴はデザインや装飾が固定的であり、装飾品の装着は専ら靴の甲部に限定されている。また、豪華なものはフォーマルな場には不適で、用途に適したものを数足用意しなければならず、特許文献１に示すように、踵に巻くストラップを着脱可能とした婦人靴も提案されているが、用途が拡大されるものの特別に装飾性に優れるものではない。
【先行技術文献】
【特許文献】
【０００４】
【特許文献１】特開２００３−９９０９号公報
【考案の概要】
【考案が解決しようとする課題】
【０００５】
こうしたハイヒール婦人靴のヒールに、例えばコサージュを装着すると、ヒールの後面上部が内側にカーブを描いた傾斜面で形成されているため、コサージュが斜め下方を向き、後方から視た時のアピール度が弱かった。また、コサージュを装着したハイヒール婦人靴は、華やかな場での着用に適するが、フォーマルな場には不適で、着用の場が限定される。
【０００６】
この考案は、ヒールの後面上部に装飾品を装着するために用い、装飾品が斜め下方を向くことがなく、後方から視た時に正面を向いた状態で装着可能とした取付具を提案することを目的とするものである。また、この取付具を用いて装飾品を装着し、後方から視た時に装飾品が強くアピールし、装飾性、ファッション性に優れたハイヒール婦人靴を提案し、さらに、華やかなパーティからフォーマルな場に至るまで、多様な着用を可能としたハイヒール婦人靴を提案することを目的とするものである。
【課題を解決するための手段】
【０００７】
上記の目的を達成するため、この考案の取付具は、ハイヒール婦人靴のヒール３の後面上部に装飾品を装着するためのハイヒール婦人靴の装飾品の取付具であって、一方の側面に、ヒール３の後面上部の傾斜に適合した傾斜面１１を形成し、他方の側面に、装飾品を取り付ける垂直面１２を形成し、垂直面１２に装飾品を取り付けた状態で、傾斜面１１をヒール３の後面上部に沿うようにして装着することを特徴とするものである。
【０００８】
また、この考案のハイヒール婦人靴は、上記の取付具１０を用い、ヒール３の後面上部に装飾品をほぼ垂直の状態で装着するものである。
【０００９】
また、傾斜面１１の上端が、甲皮１の底部最後端部１ａより上になるように取付具１０を装着するものである。
【００１０】
また、装飾品としてコサージュを装着するものである。
【００１１】
また、この考案のハイヒール婦人靴は、ヒール３の後面上部に雌ホック５を埋設し、傾斜面１１に雌ホック５と一対の雄ホック１５を形成し、取付具１０を着脱自在且つ取替自在とするものである。
【００１２】
また、ボタン１６に雄ホック１５を形成し、取付具１０に代わってボタン１６を装着可能とするものである。
【考案の効果】
【００１３】
この考案のハイヒール婦人靴の装飾品の取付具１０は、一方の側面に、ハイヒール婦人靴のヒール３の後面上部の傾斜に適合した傾斜面１１を形成し、他方の側面に、装飾品を取り付ける垂直面１２を形成したので、ヒール３の後面上部に装飾品を装着した場合に、装飾品の取付角度が補正され、装飾品が斜め下方を向くことなく水平方向に向き、後方から視た時に正面を向いた状態となる。したがつて、この取付具１０を用い、ヒール３の後面上部に装飾品をほぼ垂直の状態で装着したハイヒール婦人靴は、後方から視た時に装飾品が極めて印象的で強くアピールし、従来にないデザイン上のアクセントとなり、装飾性、ファッション性に優れるものである。
【００１４】
また、傾斜面１１の上端が、甲皮１の底部最後端部１ａより上になるように取付具１０を装着すれば、装飾品がハイヒール婦人靴の踵部の最後端より外側（後側）に位置するとともに、高さ位置も高く設定され、さらなるアピール度の向上を図ることができる。
【００１５】
また、装飾品としてコサージュをヒール３の後面上部に装着すれば、極めて豪華で華やかなパーティ等の着用に適し、この考案の装飾品としてはコサージュの他、女性用装身アクセサリとして代表的なリボンや、各種の意匠を施したプレート、ブローチのような金属装身具等が適用可能である。
【００１６】
また、この考案のハイヒール婦人靴は、ヒール３の後面上部に雌ホック５を埋設し、傾斜面１１に雌ホック５と一対の雄ホック１５を形成し、取付具１０を着脱自在且つ取替自在とすることで、装飾品を数種類用意し、取り替えて装着すれば意匠が一変し、変化に富んだ着用が可能である。さらに、ボタン１６に雄ホック１５を形成し、取付具１０に代わってボタン１６を装着可能とすることで、華やかなパーティからフォーマルな場に至るまで、一足の婦人靴で多様な着用が可能である。また、非着用時に装飾品を取り外しておくことで、汚れや損傷を防ぐことができる。
【図面の簡単な説明】
【００１７】
【図１】この考案の実施例の正面図。
【図２】平面図。
【図３】右側面図。
【図４】取付具の（Ａ）左側面図、（Ｂ）正面図、（Ｂ）右側面図。
【図５】取付具の着脱を示す説明図。
【図６】取付具の取り付け状態を示す要部の拡大正面図。
【図７】取付具を取り外した状態の右側面図。
【図８】ボタンの着脱を示す説明図。
【図９】ボタンを装着した状態の右側面図。
【考案を実施するための形態】
【００１８】
以下にこの考案の実施形態について、図面を用いて具体的に説明する。
図面はこの考案の実施例で、この考案の取付具１０を用い、装飾品として花をモチーフとしたコサージュ２０を装着したハイヒール婦人靴を示す。ハイヒール婦人靴は、甲皮１に紐や留め具が無い履き口の広いスリップオンタイプのパンプスで、その左足用を図示している。甲皮１の底部に中底を介して表底２が接合され、踵部には所定の高さの樹脂製のヒール３が接合されている。このヒール３の後面の上方位置に、コサージュ２０を縫着した取付具１０が装着されている。
【００１９】
図３に取付具１０の形状を示す。取付具１０は樹脂成形して形成され、一方の側面に、ヒール３の後面上部の傾斜に適合した傾斜面１１が形成され、他方の側面に、コサージュ２０を縫着するための垂直面１２が形成されている。図に示すように、傾斜面１１と垂直面１２は角度α開いた関係で、取付具１０をヒール３に装着した場合に、垂直面１２がほぼ垂直になるように角度αが設定されている。１３は、コサージュ２０を縫着するための糸穴である。
【００２０】
ヒール３の後面上部に雌ホック５が埋設され、傾斜面１１の下方には、雌ホック５と一対の雄ホック１５が形成され、雄ホック１５を雌ホック５に嵌めてコサージュ２０を縫着した取付具１０が装着されている。この雌雄一対のホック機構によって、図５に示すように、取付具１０はヒール３に着脱自在とされ、非着用時には取り外し、コサージュ２０の汚れや損傷を防ぐことができる。また、他の装飾品を数種類用意し、取り替えて装着すれば意匠が一変し、変化に富んだ着用が可能である。
【００２１】
図６に、取付具１０を装着した状態の要部の拡大図を示す。図に示すように、傾斜面１１の上端が、甲皮１の底部最後端部１ａより上になるように取付具１０が装着され、雌ホック５の高さ位置、取付具１０の寸法等が設定されている。その結果、コサージュ２０の位置が、図中のＡ−Ａ線で示すハイヒール婦人靴の踵部の最後端より外側（後側）となり、コサージュ２０の高さ位置も高く設定され、後方から視た時のアピール度の向上が図られている。
【００２２】
図７に、取付具１０を取り外した状態を示す。図に示すように、雌ホック５が露出した状態となるため、これを塞ぐボタン１６が用意されている。図８に示すように、ボタン１６にも雄ホック１５が形成され、ヒール３の雌ホック５に着脱自在とされ、図９に示すように、ボタン１６を装着して雌ホック５が塞がれる。したがって、このハイヒール婦人靴は、華やかなパーティ等の用途ではコサージュ７を装着して着用し、コサージュ７が不適なフォーマルの場の用途ではボタン１６を装着して着用する。
【符号の説明】
【００２３】
１  甲皮
１ａ  底部最後端部
３  ヒール
５  雌ホック
１０  取付具
１１  傾斜面
１２  垂直面
１５  雄ホック
１６  ボタン
【図１】
0003160077.tif 000003
【図２】
0003160077.tif 000004
【図３】
0003160077.tif 000005
【図４】
0003160077.tif 000006
【図５】
0003160077.tif 000007
【図６】
0003160077.tif 000008
【図７】
0003160077.tif 000009
【図８】
0003160077.tif 000010
【図９】
0003160077.tif 000011